(57)【要約】【課題】複数の方向へ向けて音を放音すること。【解決手段】第１の壁部と、第１の壁部に対向する第２の壁部と、第１の壁部及び第２の壁部の間の周囲を囲む第３の壁部とを有する中空の筐体１１０と、第１の壁部に取り付けられて、第２の壁部に向けて音を放射する音源１２０と、第２の壁部の音源１２０と対向する位置に設けられて、音源１２０から放射された音を、第３の壁部に向けて反射させる音反射部１４０と、第３の壁部に設けられて、音反射部１４０で反射した音を、筐体１１０の外部へ放音するための開口部１３０ａ〜ｄとを備え、音反射部１４０を、角錐形状とし、開口部１３０ａ〜ｄを、第３の壁部における音反射部１４０の各角錐面が向いている方向の位置に設けた。【選択図】図１
2011244405.tif 000002
【特許請求の範囲】
【請求項１】
複数の方向へ向けて音を放音する放音装置であって、
第１の壁部と、前記第１の壁部に対向する第２の壁部と、前記第１の壁部及び前記第２の壁部の間の周囲を囲む第３の壁部とを有する中空の筐体と、
前記第１の壁部に取り付けられて、前記第２の壁部に向けて音を放射する音源と、
前記第２の壁部の前記音源と対向する位置に設けられて、前記音源から放射された音を、前記第３の壁部に向けて反射させる音反射部と、
前記第３の壁部に設けられて、前記音反射部で反射した音を、前記筐体の外部へ放音するための開口部と
を備え、
前記音反射部を、角錐形状とし、前記開口部を、前記第３の壁部における前記音反射部の各角錐面が向いている方向の位置に設けたことを特徴とする放音装置。
【請求項２】
前記第１の壁部の前記音源が取り付けられる位置に設けられて、前記音源から放射された音を通すための複数の孔部
を更に備え、
前記音源は、音の放射面が前記複数の孔部と接するように、前記第１の壁部の上面に取り付けられていることを特徴とする請求項１に記載の放音装置。
【請求項３】
前記角錐の底面の大きさは、前記音源の音の放射面の大きさ以上の大きさであることを特徴とする請求項１又は２に記載の放音装置。
【請求項４】
前記開口部の周方向の長さは、相対する前記角錐面の底辺の長さ以上の長さであることを特徴とする請求項１から３のいずれか一項に記載の放音装置。
【請求項５】
前記開口部の周方向と直交する方向の長さは、前記音反射部の高さ以上の長さであることを特徴とする請求項１から４のいずれか一項に記載の放音装置。
【請求項６】
前記各角錐面は、凹状に湾曲していることを特徴とする請求項１から５のいずれか一項に記載の放音装置。
【請求項７】
前記音反射部は、前記第２の壁部に局所的に設けられていることを特徴とする請求項１から６のいずれか一項に記載の放音装置。
【請求項８】
前記音反射部は、前記第２の壁部の全面に亘って設けられていることを特徴とする請求項１から６のいずれか一項に記載の放音装置。
【発明の詳細な説明】
【技術分野】
【０００１】
本発明は、放音装置に関する。特に本発明は、複数の方向へ向けて音を発する放音装置に関する。
【背景技術】
【０００２】
近年、小売店や飲食店等においては、現金を用いずに電子的にデータを交換することにより商品やサービスの代価を支払う電子決済システムの利用が拡大してきている。一般に、電子決済システムにおいては、カードの内部にアンテナを持ち、外部の電子決済用端末が発信する弱い電波を利用してデータを送受信する非接触式ＩＣ（Ｉｎｔｅｇｒａｔｅｄ  Ｃｉｒｃｕｉｔ）カードが用いられる。即ち、客は、商品やサービスの代価を支払うにあたり、非接触式ＩＣカードを外部の電子決済用端末に近づけることによって、電子決済の処理を行うことができる。その際、電子決済用端末の機種によっては、非接触式ＩＣカードを電子決済用端末に近づけるよう客に促したり、電子決済処理が正常に行われたことを通知したり、あるいは、電子決済処理が正常に行われていないことを通知したりするために、チャイム音や音声等を放音する音源を備えたものがある。
【０００３】
図１１は、音源を備えた既知の電子決済用端末９００を示す。電子決済用端末９００は、中空の箱型の筐体９１０の内部に音源９２０を収納している。具体的には、音源９２０は、筐体９１０の内部の一側面に取り付けられている。そして、音源９２０が取り付けられている面と対向する面には、開口部９３０が設けられている。そして、電子決済用端末９００は、図中の矢印によって示されるように、音源９２０から放射された音を、対向する面の開口部９３０から放音することになる。
【０００４】
一方、一つの筐体乃至ハウジング内にスピーカとマイクロフォンを収め、手を離してテーブル等の上に据置いた状態のまま、通話を可能とする電話機用のスピーカ・フォン構造が知られている（例えば、特許文献１）。この電話機用のスピーカ・フォン構造によれば、上半部乃至スピーカ室の内部上方の部分には、スピーカが上向きに据え付けられ、放射音は下向きの円錐形をした３６０°全方向反射板にて反射した後、音抜き孔を介して放射方向全方向に無指向性的に拡散されていく。
【先行技術文献】
【特許文献】
【０００５】
【特許文献１】特開昭６０−０１０９００号公報
【発明の概要】
【発明が解決しようとする課題】
【０００６】
図１１に示すような音源を備えた機知の電子決済用端末９００は、通常、電子決済用端末９００から放音される音を、客が聞き取り易いように、開口部９３０が設けられている面を客に向けてレジカウンターに設置される。しかし、このように電子決済用端末９００が設置される場合には、レジカウンターを挟んで客の対面にいる店員が、開口部９３０から音が放音される方向とは反対方向に位置しているため、電子決済用端末９００から放音される音を聞き取り難いという問題があった。
【０００７】
これに対し、特許文献１に記載されている電話機用のスピーカ・フォン構造によれば、スピーカから放射された放射音は、下向きの円錐形をした３６０°全方向反射板にて反射した後、音抜き孔を介して放射方向全方向に無指向性的に拡散されていく。この構造を電子決済用端末に採用した場合には、電子決済用端末から放音される音を、客及び店員のいずれに対しても、共に聞き易くすることができる。しかし、この構造によれば、スピーカから放射された放射音は、円錐形をした３６０°全方向反射板にて反射されるが、その反射した音が向かっていく方向の全面に亘って音抜き孔が設けられているわけではない。したがって、この構造によれば、スピーカから放射された放射音は、円錐形をした３６０°全方向反射板にて反射されるが、その一部は音抜き孔が設けられていない筐体の壁部において反射し、反響してしまう。その結果、音抜き孔から放音される音は、こもったような音になってしまうという問題があった。また、筐体が吸音性の高い材質である場合には、筐体の壁部に当たった音が吸音されて、音抜き孔から放音される音が小さくなってしまうという問題があった。
【０００８】
そこで本発明は、上記の課題を解決することのできる放音装置を提供することを目的とする。この目的は、特許請求の範囲における独立項に記載の特徴の組み合わせにより達成される。また、従属項は、本発明の更なる有利な具体例を規定する。
【課題を解決するための手段】
【０００９】
即ち、本発明の第１の形態によると、複数の方向へ向けて音を放音する放音装置であって、第１の壁部と、第１の壁部に対向する第２の壁部と、第１の壁部及び第２の壁部の間の周囲を囲む第３の壁部とを有する中空の筐体と、第１の壁部に取り付けられて、第２の壁部に向けて音を放射する音源と、第２の壁部の音源と対向する位置に設けられて、音源から放射された音を、第３の壁部に向けて反射させる音反射部と、第３の壁部に設けられて、音反射部で反射した音を、筐体の外部へ放音するための開口部とを備え、音反射部を、角錐形状とし、開口部を、第３の壁部における音反射部の各角錐面が向いている方向の位置に設けた。
【００１０】
なおまた、上記の発明の概要は、本発明の必要な特徴の全てを列挙したものではなく、これらの特徴群のサブコンビネーションもまた発明となり得る。
【発明の効果】
【００１１】
以上の説明から明らかなように、この発明では、音反射部を角錐形状とし、その各角錐面が向いている方向の位置に開口部を設けているため、音源から放射された音を、音反射部の各角錐面で反射させ、各開口部に向けて積極的に誘導することができる。その結果、この発明によれば、音源から放射される音は、筐体内部の壁部においてほとんど反射することなく、明瞭な音として各開口部から放音されることになる。
【図面の簡単な説明】
【００１２】
【図１】本発明の実施形態の一例に係る電子決済用端末１００の構成の一例を示す図である。
【図２】電子決済用端末１００のＡ−Ａ断面を示す図である。
【図３】電子決済用端末１００のＢ−Ｂ断面を示す図である。
【図４】電子決済用端末１００における音の進行方向を示す図である。
【図５】本発明の実施形態の別の例に係る電子決済用端末２００の構成の一例を示す図である。
【図６】電子決済用端末２００のＣ−Ｃ断面を示す図である。
【図７】電子決済用端末２００のＤ−Ｄ断面を示す図である。
【図８】本発明の実施形態の更に別の例に係る電子決済用端末３００の構成の一例を示す図である。
【図９】電子決済用端末３００のＥ−Ｅ断面を示す図である。
【図１０】電子決済用端末３００のＦ−Ｆ断面を示す図である。
【図１１】音源を備えた既知の電子決済用端末を示す図である。
【発明を実施するための形態】
【００１３】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１４】
図１は、本発明の実施形態の一例に係る電子決済用端末１００の構成の一例を示す。図２は、電子決済用端末１００のＡ−Ａ断面を示す。図３は、電子決済用端末１００のＢ−Ｂ断面を示す。
【００１５】
電子決済用端末１００は、非接触式ＩＣカードが近づけられることによって、現金を用いずに電子的にデータを交換することにより商品の代価を支払うための処理を行う端末である。なお、電子決済用端末１００は、この発明における「放音装置」の実施形態の一例であってよい。
【００１６】
電子決済用端末１００は、リーダ／ライタ機構を有する上部筐体１５０と、スピーカ機構を有する下部筐体１１０とを備えている。リーダ／ライタ機構は、非接触式ＩＣに対して弱い電波を発信し、非接触式ＩＣカードとの間においてデータを送受信するための機構である。スピーカ機構は、非接触式ＩＣカードを電子決済用端末に近づけるよう客に促したり、電子決済処理が正常に行われたことを通知したり、あるいは、電子決済処理が正常に行われていないことを通知したりするために、チャイム音や音声等を放音するための機構である。なお、下部筐体１１０は、この発明における「筐体」の一例であってよい。
【００１７】
上部筐体１５０は、上壁１５０ａと、側壁１５０ｂとを備えている。そして、上部筐体１５０の上壁１５０ａには、図示しないリーダ／ライタ機構が取り付けられている。例えば、リーダ／ライタ機構は、上部筐体１５０の上壁１５０ａの下面に取り付けられる。このような構成により、電子決済用端末１００においては、非接触式ＩＣカードが上部筐体１５０の上壁１５０ａの上面に近づけられると、リーダ／ライタ機構と非接触式ＩＣカードとの間において、電子決済処理のためのデータの送受信が行われることになる。
【００１８】
下部筐体１１０は、上壁１１０ａと、側壁１１０ｂと、下壁１１０ｃとを備えており、内部が中空になっている。そして、下部筐体１１０の上壁１１０ａの上面には、上部筐体１５０が載置された状態で取り付けられている。なお、下部筐体１１０上壁１１０ａは、この発明における「第１の壁部」の一例であってよい。また、下部筐体１１０の側壁１１０ｂは、この発明における「第３の壁部」の一例であってよい。また、下部筐体１１０の下壁１１０ｃは、この発明における「第２の壁部」の一例であってよい。
【００１９】
下部筐体１１０の上壁１１０ａには、複数の孔部１６０が設けられている。また、下部筐体１１０の上壁１１０ａの上面には、複数の孔部１６０と接するように、スピーカ１２０が取り付けられている。具体的には、スピーカ１２０は、音の放射面が複数の孔部１６０と接するように取り付けられている。なお、スピーカ１２０は、この発明における「音源」の一例であってよい。
【００２０】
また、下部筐体１１０の下壁１１０ｃの上面には、スピーカ１２０から放射された音を、下部筐体１１０の側壁１１０ｂへ向けて反射させるための音反射部１４０が設けられている。具体的には、音反射部１４０は、スピーカ１２０と対向する位置に設けられている。また、音反射部１４０は、四角錐形状を成している。また、音反射部１４０は、音の反射性が高い部材によって形成される。なお、四角錐形状は、この発明における「角錐形状」の一例であってよい。
【００２１】
また、下部筐体１１０の側壁１１０ｂには、音反射部１４０で反射した音を、下部筐体１１０の外部へ放音するための開口部１３０ａ〜ｄが設けられている。具体的には、開口部１３０ａ〜ｄは、音反射部１４０の各角錐面１４０ａ〜ｄが向いている方向の位置にそれぞれ設けられている。
【００２２】
図４は、電子決済用端末１００における音の進行方向を示す。具体的には、図４中の矢印が音の進む進行方向を示している。上記のような構成により、スピーカ１２０から放射された音は、複数の孔部１６０を通り抜けて下部筐体１１０の内部に放射される。そして、下部筐体１１０の内部に放射された音は、音反射部１４０の各角錐面１４０ａ〜ｄによって、下部筐体１１０の側壁１１０ｂに設けられた各開口部１３０ａ〜ｄの方向に反射する。そして、音反射部１４０の各角錐面１４０ａ〜ｄで反射した音は、各開口部１３０ａ〜ｄから下部筐体１１０の外部へ放出される。このように、スピーカ１２０から放射された音は、下部筐体１１０の内部の側壁１１０における各開口部１３０ａ〜ｄが設けられていない方向には反射しない。したがって、この構成では、下部筐体１１０の内部の側壁１１０の内部において、音があまり反射することがないので、こもることなく明瞭な音を、各開口部１３０ａ〜ｄから放出することができる。
【００２３】
また、例えば、電子決済用端末１００は、商店や飲食店のカウンターに設置される。カウンターの一方側には、商店や飲食店の店員がいて、その反対側に客がいるような環境を想定する。このとき、開口部１３０ｃを店員側に向けて電子決済用端末１００を設置する場合には、開口部１３０ｃから放出された音が店員に聞き取りやすく伝達されることになる。また、この場合には、開口部１３０ａから放出された音が店員の反対側にいる客に聞き取り易く伝達されることになる。
【００２４】
また、上記の構成においては、下部筐体１１０の内部にスピーカ１２０が設けられていない。そのため、上記構成においては、各開口部１３０ａ〜ｄから下部筐体１１０の内部に水が浸入しても、スピーカ１２０が水没する虞がない。したがって、上記構成による電子決済用端末１００においては、下部筐体１１０の各開口部１３０ａ〜ｄに防滴加工を施す必要がない。
【００２５】
また、上記の構成において、好ましくは、音反射部１４０の大きさは、その底面の大きさがスピーカ１２０の音の放射面の大きさ以上の大きさとなるようにする。このような構成にすることによって、スピーカ１２０から放射された音は、音反射部１４０が設けられていない下部筐体１１０の下壁１１０ｃで垂直方向に反射したり、吸音されたりすることがない。したがって、スピーカ１２０から放射された音は、より効率的に、各開口部１３０ａ〜ｄの方向に反射されることになる。
【００２６】
また、上記の構成において、好ましくは、各開口部１３０ａ〜ｄの周方向（水平方向）の長さは、それぞれ相対する角錐面１４０ａ〜ｄの底辺の長さ以上の長さとなるようにする。また、好ましくは、各開口部１３０の周方向と直交する方向（垂直方向）の長さは、音反射部１４０の高さ以上の長さとなるようにする。このような構成にすることによって、各開口部１３０ａ〜ｄの開口部分の大きさは、各角錐面１４０ａ〜ｄの水平視の大きさよりも大きくなる。したがって、各角錐面１４０ａ〜ｄで反射した音は、下部筐体１１０の側壁１１０ｂの内部において、ほとんど反射することなく、各開口部１３０ａ〜ｄから下部筐体１１０の外部へ放出されることになる。
【００２７】
図５は、本発明の実施形態の別の例に係る電子決済用端末２００の構成の一例を示す。図６は、電子決済用端末２００のＣ−Ｃ断面を示す。図７は、電子決済用端末２００のＤ−Ｄ断面を示す。
【００２８】
電子決済用端末２００の構成における、上記の電子決済用端末１００と異なる点は、音反射部２４０の形状である。電子決済用端末２００における音反射部２４０以外の構成は、上記の電子決済用端末１００と同じであるため、その具体的な説明を省略する。
【００２９】
上記の音反射部１４０の形状は、一般的な角錐形状をなしている。これに対し、音反射部２４０の形状は、各角錐面２４０ａ〜ｄが凹状に湾曲している角錐形状をなしている。このような構成にすることによって、スピーカ２２０から放射された音は、下部筐体２１０の側壁２１０ｂに設けられた各開口部１３０ａ〜ｄに向かって、より積極的に誘導されるように、各角錐面２４０ａ〜ｄで反射することになる。
【００３０】
図８は、本発明の実施形態の更に別の例に係る電子決済用端末３００の構成の一例を示す。図９は、電子決済用端末３００のＥ−Ｅ断面を示す。図１０は、電子決済用端末３００のＦ−Ｆ断面を示す。
【００３１】
電子決済用端末３００における、上記電子決済用端末１００と異なる点は、音反射部３４０の形状である。電子決済用端末３００における音反射部３４０以外の構成は、上記の電子決済用端末１００と同じであるため、その具体的な説明を省略する。
【００３２】
上記の音反射部１４０は、下部筐体１１０の下壁１１０ｃにおける、スピーカ１２０と対向する位置に局所的に設けられている。これに対し、音反射部３４０は、下部筐体３１０の下壁３１０ｃの全面に亘って形成されている。このような構成にすることによって、スピーカ１２０から放射された音は、下部筐体３１０の下壁３１０ｃで垂直方向に反射したり、吸音されたりしない。したがって、各角錐面３４０ａ〜ｄで反射した音は、より効率的に各開口部３３０ａ〜ｄから下部筐体３１０の外部へ放出されることになる。
【００３３】
以上、本発明を実施の形態を用いて説明したが、本発明の技術的範囲は、上記実施の形態に記載の範囲には限定されない。上記実施の形態に、多様な変更又は改良を加えることができる。そのような変更又は改良を加えた形態も本発明の技術的範囲に含まれ得ることが、特許請求の範囲の記載から明らかである。
【符号の説明】
【００３４】
１００  電子決済用端末
１１０  下部筐体
１２０  スピーカ
１３０  開口部
１４０  音反射部
１５０  上部筐体
１６０  孔部
２００  電子決済用端末
２１０  下部筐体
２２０  スピーカ
２３０  開口部
２４０  音反射部
２５０  上部筐体
２６０  孔部
３００  電子決済用端末
３１０  下部筐体
３２０  スピーカ
３３０  開口部
３４０  音反射部
３５０  上部筐体
３６０  孔部
【図１】
2011244405.tif 000003
【図２】
2011244405.tif 000004
【図３】
2011244405.tif 000005
【図４】
2011244405.tif 000006
【図５】
2011244405.tif 000007
【図６】
2011244405.tif 000008
【図７】
2011244405.tif 000009
【図８】
2011244405.tif 000010
【図９】
2011244405.tif 000011
【図１０】
2011244405.tif 000012
【図１１】
2011244405.tif 000013